(57)【要約】【課題】  他の商品の宣伝広告を商品や商品の包装容器等に表示すると共に、リアルタイムに更新された広告内容を表示できる手段の提供。【解決手段】  商品、商品の容器又は商品の包装容器に表示された二次元バーコード３０からウェブサイトへのリンク表示を抽出してアクセスする携帯端末２に、ウェブサイトを公開するサーバ３が広告ウェブサイト情報を提供する広告案内システム１であって、サーバ３は、携帯端末２と通信回線４を介して情報を送受信するサーバ送受信手段１１と、リンク表示に関連付けた広告ウェブサイト情報を記録する広告情報記録手段１２と、広告情報記録手段１２からリンク表示に関連付けられた広告ウェブサイト情報を抽出し、送受信手段１１を介して携帯端末２に送信する制御手段３とを有することにより解決する。【選択図】        図１
2007079083.tif 000002
【特許請求の範囲】
【請求項１】
商品、商品の容器又は商品の包装容器に表示された二次元バーコードからウェブサイトへのリンク表示を抽出してアクセスする携帯端末に、前記ウェブサイトを公開するサーバが広告ウェブサイト情報を提供する広告案内システムであって、
前記サーバは、前記携帯端末と通信回線を介して情報を送受信するサーバ送受信手段
と、
前記リンク表示に関連付けた前記広告ウェブサイト情報を記録する広告情報記録手段と、
該広告情報記録手段から前記リンク表示に関連付けられた広告ウェブサイト情報を抽出し、前記送受信手段を介して前記携帯端末に送信する制御手段とを有することを特徴とする広告案内システム。
【請求項２】
二次元バーコードに埋め込まれたウェブサイトのリンク表示を抽出する携帯端末と、該リンク表示に基づきアクセスされるウェブサイトを公開するサーバとを備えてなる広告案内システムであって、
前記携帯端末は、商品、商品の容器又は商品の包装容器に表示された二次元バーコードを撮影する撮影手段と、
撮影された前記二次元バーコードの画像を記録する画像記録手段と、
該画像記録手段に記録された二次元バーコードの画像に埋め込まれたウェブサイトにアクセスするためのリンク表示を解析する画像解析手段と、
該画像解析手段により解析された前記リンク表示を表示する表示手段と、
前記サーバに通信回線を介して情報の送受信を行う携帯端末送受信手段とを有し、
前記サーバは、前記携帯端末と通信回線を介して情報を送受信するサーバ送受信手段と、
前記リンク表示に関連付けた広告ウェブサイト情報を記録する広告情報記録手段と、
該広告情報記録手段から前記リンク表示に関連付けられた前記広告ウェブサイト情報を抽出し、前記送受信手段を介して前記携帯端末に送信する制御手段と、
前記表示手段は送信された前記広告ウェブサイト情報を表示することを特徴とする広告案内システム。
【請求項３】
前記リンク表示は、前記ウェブサイトのトップ表示又は該トップ表示の階層下にあるフォルダ表示であることを特徴とする請求項１又は２に記載の広告案内システム。
【請求項４】
前記サーバは、前記広告ウェブサイト情報に含まれる広告ウェブサイトにアクセスされた回数をカウントするカウント手段と、該カウント手段によりカウントされたアクセス数を前記広告ウェブサイトに関連付けて記録するカウント記録手段とを更に有することを特徴とする請求項１乃至３の何れか１項に記載の広告案内システム。
【発明の詳細な説明】
【技術分野】
【０００１】
本発明は、商品又はサービスの広告内容をリアルタイムに提供できる広告案内システムに関するものである。
【背景技術】
【０００２】
商品やサービスの宣伝・広告は、新聞、雑誌等の書面、またはテレビ、ラジオ等の放送等、さらにはインターネット上のウェブサイトにおいても広く行われている。しかしこれら一過性の広告情報の増加は反面情報の氾濫となり、実際に消費者に与える広告効果が疑わしいものもある。
【０００３】
そこで、商品の包装容器の表面に他の商品の宣伝を印刷したり、また他の商品の宣伝が印刷されたシールを貼り付け、商品購入者に直接宣伝広告することが提案されている（例えば、特許文献１参照）。
【特許文献１】特開２００５−１８１５７３
【発明の開示】
【発明が解決しようとする課題】
【０００４】
上記特許文献１によれば、メディア等による一過性の宣伝と異なり、購入した商品の包装等に記載、表示された広告であることから消費者に与える宣伝効果は決して低いものとはいえず、相当程度の効果が期待できるものである。
【０００５】
しかしながら、包装容器に印刷された宣伝内容が包装容器に収められた商品のイメージを損なったり、宣伝商品との誤認を生じることがある。また印刷された宣伝内容はリアルタイムに更新することができず、ライフサイクルの短い商品の宣伝、成長期にある商品の宣伝には充分な効果を期待することができない。
【０００６】
本発明は、販売される商品のイメージを損なわずに他の商品の宣伝広告を商品や商品の包装容器等に表示すると共に、リアルタイムに更新された広告内容を表示できる手段の提供を目的とするものである。
【課題を解決するための手段】
【０００７】
前記目的を達成するために本発明が提案するものは、商品、商品の容器又は商品の包装容器に表示された二次元バーコードからウェブサイトへのリンク表示を抽出してアクセスする携帯端末に、前記ウェブサイトを公開するサーバが広告ウェブサイト情報を提供する広告案内システムであって、前記サーバは、前記携帯端末と通信回線を介して情報を送受信するサーバ送受信手段と、前記リンク表示に関連付けた前記広告ウェブサイト情報を記録する広告情報記録手段と、該広告情報記録手段から前記リンク表示に関連付けられた広告ウェブサイト情報を抽出し、前記送受信手段を介して前記携帯端末に送信する制御手段とを有することを特徴とする広告案内システムである。
【０００８】
商品、商品の容器又は商品の包装容器に表示された二次元バーコードには、ウェブサイトへのリンク表示、すなわちウェブアドレスであるＵＲＬが埋め込まれている。視覚により直接このリンク表示を把握できないため二次元バーコードが表示された商品のイメージを損なうことがない。この二次元バーコードは、直接商品、商品の容器又は商品の包装容器に印刷されてもよいが、二次元バーコードが印刷されたシールを商品、商品の容器又は商品の包装容器に貼着する。そして携帯端末によりウェブサイトのリンク表示を抽出して該ウェブサイトにアクセスする。該ウェブサイトを公開するサーバは、アクセスしてきた携帯端末に対し、リンク表示によりリンクされるウェブサイトの広告情報記録手段に記録された広告ウェブサイト情報を送信する。すなわち二次元バーコードに埋め込まれたウェブサイトのリンク表示は、ウェブサイトを構成する階層に応じたリンク先のものとなっており、商品の種類等に応じてリンクする階層を異にすることができるものである。リンク先をウェブサイトのいずれのフォルダにするかで提供する広告ウェブサイト情報を選別し、広告効果を向上させるためである。
【０００９】
このように、二次元バーコードにはウェブサイトのリンク表示を埋め込み、広告ウェブサイト情報である広告ウェブサイト一覧の提供はリンク先のウェブサイトで、さらに広告そのものは広告ウェブサイト一覧で選択した各広告ウェブサイトで行うことから、広告内容の更新がリアルタイムに行うことができ、商品に貼着したシールの二次元バーコードの変更を不要とするものである。
【００１０】
また、本発明が提案するものは、二次元バーコードに埋め込まれたウェブサイトのリンク表示を抽出する携帯端末と、該リンク表示に基づきアクセスされるウェブサイトを公開するサーバとを備えてなる広告案内システムであって、前記携帯端末は、商品、商品の容器又は商品の包装容器に表示された二次元バーコードを撮影する撮影手段と、撮影された前記二次元バーコードの画像を記録する画像記録手段と、該画像記録手段に記録された二次元バーコードの画像に埋め込まれたウェブサイトにアクセスするためのリンク表示を解析する画像解析手段と、該画像解析手段により解析された前記リンク表示を表示する表示手段と、前記サーバに通信回線を介して情報の送受信を行う携帯端末送受信手段とを有し、前記サーバは、前記携帯端末と通信回線を介して情報を送受信するサーバ送受信手段と、前記リンク表示に関連付けた広告ウェブサイト情報を記録する広告情報記録手段と、該広告情報記録手段から前記リンク表示に関連付けられた前記広告ウェブサイト情報を抽出し、前記送受信手段を介して前記携帯端末に送信する制御手段と、前記表示手段は送信された前記広告ウェブサイト情報を表示することを特徴とする広告案内システムである。
【００１１】
また、前記リンク表示は、前記ウェブサイトのトップ表示又は該トップ表示の階層下にあるフォルダ表示であることが好ましい。
【００１２】
すなわち二次元バーコードに埋め込まれたリンク表示は、ウェブサイトのトップページにリンクする表示のほか、トップページの下に設けられた各フォルダへリンクする表示があり、それぞれシールを貼着する商品の種類等に応じて使い分けられている。これは商品の種類に応じた需要者、購入者が異なることから広告効果を発揮するためにリンク先を分けることにしたものである。
【００１３】
したがってリンク表示がトップ表示かその下の各フォルダの表示かという階層位置に関連付けて記録された広告ウェブサイト情報である広告ウェブサイト一覧を抽出して、携帯端末に送信するものである
さらに、前記サーバは、前記広告ウェブサイト情報に含まれる広告ウェブサイトにアクセスされた回数をカウントするカウント手段と、該カウント手段によりカウントされたアクセス数を前記広告ウェブサイトに関連付けて記録するカウント記録手段とを更に有することが好ましい。
【００１４】
この広告案内システムの提供に際しては、アクセスしてきた携帯端末に広告ウェブサイトの一覧である広告ウェブサイト情報を提供することで各広告ウェブサイトから広告情報の提供料を徴収する。そして提供した広告ウェブサイトへの携帯端末からのアクセス数をカウント記録することで、広告効果を数値表示できるとともに、提供料を定額制からアクセス数に応じた従量制とすることができる。
【発明の効果】
【００１５】
本発明によれば、販売される商品のイメージを損なわずに他の商品の宣伝広告を商品や商品の包装容器等に表示することができる。また商品や商品の包装容器等に表示された表示内容を変更せずに、更新、変更された広告内容をリアルタイムに提供することができる。
【発明を実施するための最良の形態】
【００１６】
以下、添付図面を参照して本発明の好ましい実施形態を説明する。図１は本実施形態の広告案内システムの構成概念図、図２は本実施形態の広告案内システムの動作を表す流れ図、図３は商品の包装容器に貼着されたシール面に印刷された二次元バーコードを撮影するカメラ付き携帯電話の説明図、図４は携帯電話画面に表示された広告ウェブサイト情報を表示する説明図である。
【００１７】
図１に示すように、本実施形態の広告案内システム１は、携帯端末であるカメラ付きの携帯電話２（以下、単に「携帯電話」と略す。）と通信回線４を介して接続するサーバ３を備えてなるものである。
【００１８】
携帯電話２は、商品、商品の容器又は商品の包装容器に表示された二次元バーコードを撮影する撮影手段５と、撮影された二次元バーコードの画像を記録する画像記録手段６と、画像記録手段６に記録された二次元バーコードの画像に埋め込まれたウェブサイトにアクセスするためのリンク表示を解析する画像解析手段７と、画像解析手段７により解析されたリンク表示を表示する表示手段８と、サーバ３に通信回線４を介して情報の送受信を行う携帯端末送受信手段１０とを有するものである。
【００１９】
上記の撮影手段５、画像記録手段６、画像解析手段７及び携帯端末送受信手段１０の機能は、カメラ付き携帯電話２のカメラ部分、内蔵されているメモリ、ＣＰＵ及び送受信機器等を所定のプログラムを作動させることにより実現できるものである。またこの携帯電話２はインターネット接続サービスを受けることができるタイプの機種である。
【００２０】
サーバ３は、携帯電話２と通信回線４を介して情報を送受信するサーバ送受信手段１１、リンク表示に関連付けた広告ウェブサイト情報を記録する広告情報記録手段１２と、この広告情報記録手段１２からリンク表示に関連付けられた広告ウェブサイト情報を抽出し、送受信手段１１を介して携帯端末２に送信する制御手段１３と、広告ウェブサイト情報に含まれる広告ウェブサイトにアクセスされた回数をカウントするカウント手段１４と、このカウント手段１４によりカウントされたアクセス数を広告ウェブサイトに関連付けて記録するカウント記録手段１５とを有している。
【００２１】
サーバ３は、ウェブサイトを公開するコンピュータであり、上記のサーバ送受信手段１１、広告情報記録手段１２、制御手段１３、カウント手段１４およびカウント記録手段１５の機能は、ＣＰＵ、ＲＡＭ及び外部記憶装置、通信機器等の周辺機器を所定のプログラムを作動させることにより実現できるものである。
【００２２】
携帯電話２とサーバ３とを結ぶ通信回線４は、携帯電話２から発信された電波を中継する基地局２１と、移動通信制御局を含む携帯電話網２２と、ｉモードサーバ２３と、インターネット網２５とを備えてなるものである。
【００２３】
次に本実施形態の広告案内システム１の動作について、図２の流れ図を参照して説明する。図２に示すようにカメラ付き携帯電話２の撮影手段５であるカメラにより二次元バーコードを撮影する（Ｓ１）。
【００２４】
この撮影対象となる二次元バーコード３０は、図３に示すように店頭に陳列されている商品の包装容器３１の外面に貼着されているシール３２に印刷されている。このシール３２は、上記の商品の包装容器３１の外面のほかに商品や商品の容器の外面に直接貼着することも可能である。要はシール３２に印刷されている二次元バーコード３０を携帯電話２の撮影手段であるカメラで撮影し、解析できればよいからである。
【００２５】
シール３２には、包装容器３１に収納されている商品とは別のものの広告であることを示す文字「広告」が二次元バーコードの上に印刷されている。必要に応じて広告対象を示す内容の文字を記載してもよい。例えば、健康グッズの商品の広告であるときは、二次元バーコードに上に、「健康グッズ広告」の文字を記載し、女性用化粧品の広告であるときは「女性用化粧品の広告」等を記載してアクセスを誘導するものである。
【００２６】
商品の包装容器３１に貼着されたシール３２の表面に印刷された二次元バーコード３０を、携帯電話２の撮影手段５であるカメラで撮影した後（Ｓ１）、この撮影された画像は画像記録手段６に記録される。そして画像解析手段７により二次元バーコード３０に埋め込まれたウェブサイトへアクセスするためのリンク表示である、ＵＲＬアドレスを読み取る。そして上記のリンク表示を携帯電話２の表示手段８である画面に表示する（Ｓ２）。
【００２７】
そしてこの携帯電話２の画面に表示されたリンク表示によりウェブサイトにアクセスする（Ｓ３）。上記のリンク表示は、ウェブサイトのトップページにリンクするリンク表示のほか、トップページの階層下にある各フォルダへ直接リンクするリンク表示も含まれる。各フォルダにはこのウェブサイトが提供する広告ウェブサイト情報が業種別、商品別に掲載されている。例えば、若い女性が購買層となる商品の包装容器には、貼着したシール３２に印刷されている二次元バーコード３０に埋め込まれているリンク表示は、ウェブサイトのトップページでなく、トップページの階層下にあるフォルダのひとつにリンクする。このリンク先のフォルダは、女性用化粧品等の広告ウェブサイト情報を一覧掲載しているため、広告情報を商品の購買層に直接提供することができるからである。
【００２８】
このウェブサイトを公開するサーバ３の制御手段１３は、上記したようにリンク表示先のフォルダにある広告ウェブサイトの一覧、すなわちリンク表示に関連付けられた広告ウェブサイト情報を広告情報記録手段１２から取り出し、携帯電話２に送信する（Ｓ４）。
【００２９】
携帯電話２の画面には、図４に示すようにサーバから送信された広告ウェブサイト情報である広告ウェブサイトの一覧が掲示される。これは上記したように二次元バーコードに埋め込まれたリンク表示がアクセスしたウェブサイト内のフォルダの１つである、女性用化粧品の広告サイト一覧３５を掲載したものである。画面上には、５個の化粧品の広告サイト３６が上から順に掲載されていて、当初は最上部のサイト１が選択対象となっている。選択対象を変更するときは、携帯電話の操作キーの１つ、上下のスクロールキーにより行うことができる。あとは決定キーを押すことで、目的の商品の広告サイト３６に行くことができる。
【００３０】
目的の広告サイト３６を選択決定したときは、サーバのカウント手段１４はアクセスされた回数のカウントを行い、そしてカウントされたアクセス数を広告サイトに関連付けてカウント記録手段１５に記録する（Ｓ６）。
【００３１】
そして携帯電話２は選択決定した上記の目的広告サイトにアクセスし、閲覧することができる（Ｓ７）。
【００３２】
このように本実施形態によれば、商品、商品の容器又は商品の包装容器に他の商品やサービスの広告スペースを設けても、広告スペースには直接広告の内容を表示しないので、その商品のイメージを損なうことがない。なお本実施形態では二次元バーコードをシールに印刷して商品、商品の容器等に貼着したが、二次元バーコードを直接容器等に印刷してもよい。
【００３３】
また本実施形態では、シールに印刷されるのは二次元バーコードと広告案内程度の文字記載で、広告内容は印刷しない。そのため広告内容の変更、更新を商品にシール貼着した後でも、リンク先のウェブサイトの内容を変更、更新することでリアルタイムに行うことができる。
【００３４】
なお携帯電話２の画面に掲載される広告ウェブサイト情報の各ウェブサイトの掲載位置、掲載順については料金、契約等で調整することができ、広告ウェブサイトの運営者は自己の広告ウェブサイトを有利な位置に置くことができる。
【図面の簡単な説明】
【００３５】
【図１】本実施形態の広告案内システムの構成概念図。
【図２】本実施形態の広告案内システムの動作を表す流れ図。
【図３】カメラ付き携帯電話により二次元バーコードを撮影する説明図。
【図４】携帯電話画面に表示された広告ウェブサイト情報を表示する説明図。
【符号の説明】
【００３６】
１  広告案内システム
２  携帯端末
３  サーバ
４  通信回線
５  撮影手段
６  画像解析手段
７  画像記録手段
８  表示手段
１０  携帯端末送受信手段
１１  サーバ送受信手段
１２  広告情報記録手段
１３  制御手段
１３  カウント手段
１５  カウント記録手段
【図１】
2007079083.tif 000003
【図２】
2007079083.tif 000004
【図３】
2007079083.tif 000005
【図４】
2007079083.tif 000006